(57)【要約】      （修正有）【課題】無線装置のプリント基板と無線装置のキャビネットの周縁部に配置される金属体を、簡易な構造でより確実に導通することのできる接続部品を備える無線装置を提供する。【解決手段】無線装置１０１は、キャビネット２０１と、プリントパターンを設けるプリント基板２２０と、キャビネットの周縁部に配設する金属体２１０と、キャビネットに載置するプリント基板と金属体とを原型から弾性変形することにより電気的に接続する接続部品２３０と、を備える。【選択図】図２
2020167546.tif 000002
【特許請求の範囲】
【請求項１】
キャビネットと、
プリントパターンを設けるプリント基板と、
前記キャビネットの周縁部に配設する金属体と、
前記キャビネットに載置する前記プリント基板と前記金属体とを原型から弾性変形することにより電気的に接続する接続部品と、を備える、ことを特徴とする無線装置。
【請求項２】
前記接続部品に設ける挿通孔に挿通しつつ前記キャビネットに開口する開口部に締結する締結具を有し、
前記締結具を締結すると前記接続部品は、締結方向に弾性変形することにより前記プリント基板と導通する、
ことを特徴とする請求項１に記載の無線装置。
【請求項３】
前記接続部品は、略水平方向に弾性変形することにより略垂直方向にある前記金属体と導通する、
ことを特徴とする請求項２に記載の無線装置。
【請求項４】
前記プリント基板を前記キャビネットと挟持する副キャビネットを備える、
ことを特徴とする請求項１又は請求項２に記載の無線装置。
【請求項５】
前記キャビネットまたは前記副キャビネットには、略水平方向に弾性変形する前記接続部品の変位量を規制する凸部を設ける、
ことを特徴とする請求項１又は請求項４に記載の無線装置。
【請求項６】
前記副キャビネットは、アンテナパターンを有し、
前記接続部品は，締結方向に弾性変形することにより前記アンテナパターンと導通する、
ことを特徴とする請求項４又は請求項５に記載の無線装置。
【請求項７】
前記接続部品は、略水平方向に弾性変形することにより略垂直方向にある前記金属体と導通する、
ことを特徴とする請求項６に記載の無線装置。
【請求項８】
前記キャビネットは、前記接続部品を挿通する突起部を有する、
ことを特徴とする請求項１に記載の無線装置。
【請求項９】
前記突起部をかみ合わす突起受け部が設けられる副キャビネットを備え、
前記突起部に挿通される前記接続部品は、垂直方向に弾性変形することにより前記プリント基板と導通する、
ことを特徴とする請求項８に記載の無線装置。
【請求項１０】
前記接続部品は、略水平方向に弾性変形することにより略垂直方向にある前記金属体と導通する、
ことを特徴とする請求項９に記載の無線装置。
【発明の詳細な説明】
【技術分野】
【０００１】
本発明は、無線装置に関する。
【背景技術】
【０００２】
特許文献１には、筐体の外周に沿って設けられた導電性の枠部材と、当該枠部材をアンテナとして用いて無線通信処理を行う無線回路部と、を備えた無線機が開示されている。
【先行技術文献】
【特許文献】
【０００３】
【特許文献１】特開２０１５−１５６５３７号公報（２０１５年８月２７日公開）
【発明の概要】
【発明が解決しようとする課題】
【０００４】
しかしながら、上記特許文献１には、枠部材と無線回路部等との具体的な接続構造については開示されていない。
【０００５】
そこで、本発明は、例えば無線装置のプリント基板と無線装置のキャビネットの周縁部に配置される金属体を、簡易な構造でより確実に導通することのできる接続部品を備える無線装置を実現することを目的とする。
【課題を解決するための手段】
【０００６】
（１）本発明の一態様に係る無線装置は、キャビネットと、プリントパターンを設けるプリント基板と、前記キャビネットの周縁部に配設する金属体と、前記キャビネットに載置する前記プリント基板と前記金属体とを原型から弾性変形することにより電気的に接続する接続部品と、を備える、ことを特徴とする。
【０００７】
（２）本発明の一態様に係る無線装置は、前記接続部品に設ける挿通孔に挿通しつつ前記キャビネットに開口する開口部に締結する締結具を有し、前記締結具を締結すると前記接続部品は、締結方向に弾性変形することにより前記プリント基板と導通することを特徴とする。
【０００８】
（３）本発明の一態様に係る無線装置は、前記接続部品は、略水平方向に弾性変形することにより略垂直方向にある前記金属体と導通する、ことを特徴とする。
【０００９】
（４）本発明の一態様に係る無線装置は、前記プリント基板を前記キャビネットと挟持する副キャビネットを備える、ことを特徴とする。
【００１０】
（５）本発明の一態様に係る無線装置は、前記キャビネット又は前記副キャビネットには、略水平方向に弾性変形する前記接続部品の変位量を規制する凸部を設ける、ことを特徴とする。
【００１１】
（６）本発明の一態様に係る無線装置は、前記副キャビネットは、アンテナパターンを有し、前記接続部品は，締結方向に弾性変形することにより前記アンテナパターンと導通する、ことを特徴とする。
【００１２】
（７）本発明の一態様に係る無線装置は、前記接続部品は、略水平方向に弾性変形することにより略垂直方向にある前記金属体と導通する、ことを特徴とする。
【００１３】
（８）本発明の一態様に係る無線装置は、前記キャビネットは、前記接続部品を挿通する突起部を有する、ことを特徴とする。
【００１４】
（９）本発明の一態様に係る無線装置は、前記突起部をかみ合わす突起受け部が設けられる副キャビネットを備え、前記突起部に挿通される前記接続部品は、垂直方向に弾性変形することにより前記プリント基板と導通する、ことを特徴とする。
【００１５】
（１０）本発明の一態様に係る無線装置は、前記接続部品は、略水平方向に弾性変形することにより略垂直方向にある前記金属体と導通する、ことを特徴とする。
【図面の簡単な説明】
【００１６】
【図１】本発明の実施形態１に係る無線装置を示す平面図である。
【図２】本発明の実施形態１に係る無線装置のリアパネルを外して背面側から見た平面図である。
【図３】図２中の金属体とプリント基板とを接続部品を介して接続する際の各部品を示す要部の模式的な斜視図である。
【図４】接続部品をキャビネットに嵌め合わす前の状態を示す側断面図である。
【図５】接続部品をキャビネットに嵌め合わした後の状態を示す側断面図である。
【図６】本発明の実施形態２に係る無線装置のリアパネルを外して背面側から見た平面図である。
【図７】金属体とキャビネットを示す要部の平面図である。
【図８】金属体と副キャビネットを示す要部の平面図である。
【図９】副キャビネットと金属体を示す要部の平面図である。
【図１０】図９のＸ−Ｘ断面図である。
【図１１】副キャビネットと金属体を示す要部の平面図である。
【図１２】図１１のＸＩＩ−ＸＩＩ断面図である。
【図１３】本発明の実施形態３に係る無線装置のリアパネルを外して背面側から見た要部の平面図である。
【図１４】金属体とキャビネットとプリント基板と接続部品を示す要部の平面図である。
【図１５】副キャビネットを示す要部の平面図である。
【図１６】キャビネットと副キャビネットとの一体化前における接続部品の状態を示す断面図である。
【図１７】キャビネットと副キャビネットとの一体化前における周縁の状態を示す断面図である。
【図１８】図１３のＸＶＩＩＩ−ＸＶＩＩＩ断面図である。
【図１９】図１３のＸＩＸ−ＸＩＸ断面図である。
【図２０】図６に示す無線装置の回路図である。
【発明を実施するための形態】
【００１７】
［実施形態１］
以下、本開示の実施形態としては、無線装置の一例としてスマートフォンに本発明を適用した場合について、図面を参照しつつ説明する。本発明はスマートフォンに限定されず、無線装置一般に適用することができる。図１は、本実施形態に係る無線装置を示す平面図である。図２は、本実施形態に係る無線装置のリアパネルを外し、背面側から見た平面図である。図３は、図２中の金属体とプリント基板とを接続部品を介して接続する際の各部品を示す要部の模式的な斜視図である。
【００１８】
図１に示すように、本発明の実施形態の無線装置１０１は、画像を表示する表示部１０２を有し、その背面側のリアパネルを取り外すと、図２に示すように、キャビネット２０１と、同キャビネット２０１の周縁部に配置する金属体２１０と、プリントパターンを設けるプリント基板２２０と、接続部品２３０と、を備える。図中の符号２５０は、電池である。
【００１９】
表示部１０２は、画像を表示する表示パネルと駆動用ＩＣと操作インターフェイスのためのタッチパネルとを一体化した全体として矩形板状構造としている。例えば、表示パネルは、液晶パネルとバックライト等で構成している。或いは、自発光するＯＬＥＤ（Organic Light Emitting Diode）等のパネルで構成してもよい。
【００２０】
図２に示すように、キャビネット２０１は、誘電体からなる平面視略長方形の板状構造としている。キャビネット２０１の表面側には表示部１０２を格納し、キャビネット２０１の裏面側には無線通信ＩＣ等を実装するプリント基板２２０や電池２５０や撮像素子２６０等を格納する構成としている。
【００２１】
キャビネット２０１の上部には、後述する接続部品２３０の締結具２４０を締結する開口部２０２が形成されている。この開口部２０２は後述する金属体２１０の左方向のフレーム体２１２の内壁２１２ａに近接するように形成されており、さらに、開口部２０２はプリント基板２２０の凸状接続部２２１の下に形成されている。
【００２２】
キャビネット２０１の外周縁部には、金属体２１０を配設している。金属体２１０は、略水平な面に位置するキャビネット２０１に対して略垂直な面に位置している。金属体２１０の外形は、例えば、略長方形の枠状に形成しており、上方向および下方向の各フレーム体２１１には、２ケ所の間隙２１３，２１３が形成される。金属体２１０は、例えば、導電性でありかつ金属素材であり、ＳＵＳ等の素材で構成している。
【００２３】
キャビネット２０１には、無線信号を送受信するための無線ＩＣ等を実装するための回路等がプリントパターンされたプリント基板２２０を配設している。
【００２４】
図３に示すプリント基板２２０は、略矩形状に構成しており（図２参照）、長手方向の中途部には、電気的に接続する凸状の接続部２２１が形成される。この凸状接続部２２１には、キャビネット２０１の開口部２０２と同心の貫通孔２２１ａが形成されている。プリント基板２２０の長手方向の長さは、上下方向の各フレーム体２１１間の長さより短く形成される。また、プリント基板２２０は、無線用ＩＣ等を実装し、凸状接続部２２１を除いてその表面部分を金属製等のシールド部２２２（図２参照）で覆う構成としている。
【００２５】
電池２５０（図２参照）は、表示部１０２やプリント基板２２０の通信用ＩＣや実装の部品等に電気を供給しており、平らな直方体構造である。電池２５０は、キャビネット２０１内部に配設されており、電池２５０の上方部分にはプリント基板２２０が配設されている。
【００２６】
撮像素子２６０は、静止画や動画を撮影する部品である。
【００２７】
次に、略水平な面にあるプリント基板２２０と略垂直な面にある金属体２１０とは、後述する原型から弾性変形する接続部品２３０を介して電気的に接続されており、金属体２１０はプリント基板２２０より給電されてアンテナとして機能する。
【００２８】
図３及び図４に示すように、接続部品２３０は、例えば、略円柱構造であり、弾性変形する素材でかつ、その外周縁部２３１は少なくとも導電性素材で構成されている。外周縁部２３１の長手方向の中央部には、径方向（垂直方向）に挿通孔２３２が穿設される。この挿通孔２３２の径は接続部品２３０の直径より小さい。また、挿通孔２３２とキャビネット２０１の開口部２０２とは同心をなすように形成される。
【００２９】
図４から図５を参照しながら、原型から弾性変形する接続部品２３０を使用してキャビネット２０１上に載置するプリント基板２２０と金属体２１０を電気的に接続する方法について説明する。
【００３０】
図４に示すように、キャビネット２０１上には、プリント基板２２０が載置されており、接続部品２３０はその挿通孔２３２とプリント基板２２０の貫通孔２２１ａおよびキャビネット２０１の開口部２０２とが同心となるように載置される。
【００３１】
図５に示すように、接続部品２３０は、その挿通孔２３２に締結具２４０（例えば、ビス）が先端２４３から挿通され、同挿通孔２３２から外部に突出した締結具２４０の先端２４３がさらに、プリント基板２２０の接続部２２１の貫通孔２２１ａを貫通し、キャビネット２０１上に開口した開口部２０２に嵌め合わされる。
【００３２】
この嵌め合わせ作用により締結具２４０の頭部２４１下が接続部品２３０の挿通孔２３２周縁を押圧し、この押圧力により同接続部品２３０の挿通孔２３２に直交する径方向（略水平方向）に接続部品２３０自体が弾性変形する。この締結具２４０には、軸部２４２の外周面に雄ネジ部が形成されており、締結の際には軸部２４２の雄ネジ部がキャビネット２０１の開口部２０２内壁面の雌ネジ部に嵌め合わされる。締結具２４０の頭部２４１の径は、少なくとも挿通孔２３２の直径より大きく形成される。
【００３３】
接続部品２３０の側断面視形状は、例えば、締結具２４０による押圧前の略円形状の原型から締結具２４０による押圧後の略楕円形状に変形する。この締結方向に弾性変形した後の略楕円形状の接続部品２３０は、その外周縁部２３１の下方領域が略水平方向に位置するプリント基板２２０の凸状接続部２２１と当接することにより導通する。さらに、接続部品２３０は、略水平方向に弾性変形することにより外周縁部２３１の側方領域が垂直方向に位置する金属体２１０の左のフレーム体２１２の内壁２１２ａと当接することにより導通する。このように弾性変形した同接続部品２３０を介してプリント基板２２０と略垂直方向の金属体２１０とを電気接続する。この楕円形状に変形した接続部品２３０の外周縁部２３１には、プリント基板２２０および金属体２１０と接続する接点部がそれぞれ形成される。
【００３４】
このように接続部品２３０が弾性変形することによりキャビネット２０１上のプリント基板２２０と略垂直な方向に位置する金属体２１０とを簡易なコンパクトな構造で確実に導通して電気接続することができる。例えば、略水平方向のプリント基板２２０から給電すると、原型から変形した接続部品２３０を介して、略垂直方向の金属体２１０に給電することができ、金属体２１０のフレーム体２１２をアンテナとして機能させることができる。
【００３５】
［実施形態２］
本開示の実施形態２について、図６から図１２を用いて説明する。実施形態２の無線装置の平面図は、図１に示す実施形態１の無線装置と同一構造であり、重複する説明は一部省略する。
【００３６】
図６に示すように、本発明の実施形態の無線装置６０１は、その背面側のリアパネルを取り外すと、キャビネット６０２と、プリントパターンを設けるプリント基板６２０と、副キャビネット６７０と、重ねたキャビネット６０２及び副キャビネット６７０の周縁を囲む金属体６１０と、接続部品６３０と、を備えている。図中符号６５０は電池である。
【００３７】
図７に示すように、キャビネット６０２は、副キャビネット６７０の下に設けられており、例えば、誘電体からなる平面視略長方形の板状構造としている。キャビネット６０２には、副キャビネット６７０の挿通孔６７２と同心の開口部６０３を形成している。キャビネット６０２には、その開口部６０３の縁部に、後述するプリント基板６２０の接続部６２１が近接している。キャビネット６０２の表面側には表示部１０２を格納し、キャビネット６０２の裏面側には副キャビネット６７０や無線通信ＩＣ等を実装するプリント基板６２０や電池６５０や撮像素子６６０等を格納する構成としている。
【００３８】
また、キャビネット６０２の外周縁には、金属体６１０を配設している。金属体６１０は、略水平な面に位置するキャビネット６０２に対して垂直な面に位置している。金属体６１０の外形は、例えば、略長方形の枠状に形成しており、上方向および下方向の各フレーム体６１１には、２ケ所の間隙６１３，６１３が形成されている。金属体６１０は、例えば、導電性でありかつ金属素材であり、ＳＵＳ等の素材で構成している。キャビネット６０２と副キャビネット６７０との間には無線信号を送受信する無線ＩＣ等を実装するための回路等がプリントパターンされたプリント基板６２０を配設している。
【００３９】
プリント基板６２０は、例えば、略矩形状に構成しており、長手方向の中途部には、電気的に接続する凸状の接続部６２１が形成される。この凸状接続部６２１は、キャビネット６０２の開口部６０３に近接するように形成されている。プリント基板６２０の長手方向の長さは、上下方向の各フレーム体６１１の長さよりも短く形成される。また、プリント基板６２０は、無線用ＩＣ等を実装し、凸状接続部６２１を除いてその表面部分を金属製等のシールド部６２２で覆う構成としている。
【００４０】
図１０に示すように、プリント基板６２０の接続部６２１と副キャビネット６７０裏側の電極パッド６７３ｂとは接点バネ６８３を介して電気的に接続している。プリント基板は、副キャビネット上のアンテナパターン（図８参照）や垂直な面にある金属体に給電する。
【００４１】
図８に示すように、副キャビネット６７０は、例えば、誘電体からなる平面視略長方形の板状構造としている。
副キャビネット６７０の表側面には、例えば、アンテナパターン６７１が設けられており、アンテナパターン６７１の基部には電極パッド６７３ａが形成され、電極パッド６７３ａの中央には、同パッド６７３ａの外形サイズより小さい径の挿通孔６７２が穿設されている。アンテナパターン６７１の電極パッド６７３ａの端部には、後述する接続部品６３０が弾性変形する際の変位量を規制する凸部６７４が設けられる。
【００４２】
また、副キャビネット６７０のアンテナパターン６７１は、接点バネ６８３を介してプリント基板６２０に接続される。
このように、プリント基板６２０はキャビネット６０２と副キャビネット６７０の間に挟持するように設けられ、副キャビネット６７０の表面上にアンテナパターンを設けることにより、例えばプリント基板６２０のグランド等、アンテナ性能の劣化を招く部品から物理的な距離を確保することができるため、同一キャビネットサイズでも、より高効率なアンテナ性能を得ることができる。
【００４３】
アンテナパターン６７１は、例えば、導電性を有するパターンであり、導電ペーストが印刷されてなる導電膜である。あるいは、金属メッキ（金属が蒸着された導電膜）、導電フィルム、板金等であってもよい。
【００４４】
図１０に示すように、副キャビネット６７０の裏側面には、表側の電極パッド６７３ａと同パッド横の挿通孔６７２を介して電気的に接続する裏側の電極パッド６７３ｂが形成されており、裏側の電極パッド６７３ｂは、接点バネ６８３を介してプリント基板６２０の凸状接続部６２１と接続する。
また、副キャビネット６７０は、その裏面側の一部をプリント基板６２０を収納するために凹部状に切り欠く構成としている。この切り欠いて形成した収納部６７５には、キャビネット６０２上にプリント基板６２０を載置したときに、プリント基板６２０の上面から同収納部６７５の天井部６７５ａまでの空隙が形成される。なお、挿通孔６７２内壁には、表裏の両電極パッド６７３ａ，６７３ｂを導通する導電膜が形成される。
【００４５】
次に、キャビネット６０２と副キャビネット６７０との間の略水平な面にあるプリント基板６２０と垂直な面にある金属体６１０とは、後述する副キャビネット６７０上の弾性変形する接続部品６３０を介して電気的に接続されており、金属体６１０および副キャビネット６７０のアンテナパターン６７１はプリント基板６２０より給電されてアンテナとして機能する。
【００４６】
図６及び図１０に示すように、接続部品６３０は、例えば、略円柱構造であり、弾性変形する素材でかつ、その外周縁部６３１は少なくとも導電材で構成されている。外周縁部６３１の長手方向の中央部には、径方向（垂直方向）に挿通孔６３２が設けられる。この挿通孔６３２の径は接続部品６３０の直径より小さい。
【００４７】
図１０に示すように、接続部品６３０は、締結具６４０の頭部６４１下の挿通孔６３２の周縁を一様に変形させるために略四角形状のプレート６８０を配設している。すなわち、プレート６８０は、接続部品６３０を一様に変形させるために、締結具６４０の頭部６４１と接続部品６３０の外周縁部６３１の間に設けられている。プレート６８０は、例えば、金属で構成しても良いし、金属以外の樹脂等で構成してもよい。また。プレート６８０中央には、締結具６４０を挿通する孔が形成される。
【００４８】
プレート６８０と接続部品６３０は、例えば両面テープ６８１等で固定してもよい。両面テープ６８１で固定することで締結具６４０の締結作業時にプレート６８０が接続部品６３０の外周縁部６３１から脱落しなくなり、効率よく締結することができる。なお、両面テープには、締結具を挿通する孔が設けられる。
【００４９】
また、接続部品６３０と副キャビネット６７０の電極パッド６７３ａとを例えば導電性両面テープ６８２で固定してもよい。導電性両面テープ６８２は、締結具の締結作業時に電極パッド６７３ａ上の接続部品６３０が脱落することを防ぐために設けられる。また、導電性両面テープ６８２は、抵抗値を持っているため、その面積は小さい方が望ましい。なお、導電性両面テープには、締結具を挿通する孔が設けられる。
【００５０】
接続部品６３０とアンテナパターン６７１の電極パッド６７３ａが直接接触する面積を確保できれば、上記両面テープは必ずしも導電性両面テープである必要はなく、単なる両面テープであってもよい。
【００５１】
図９から図１２を参照しながら、弾性変形する接続部品６３０を使用して金属体６１０と副キャビネット６７０とプリント基板６２０とを接続する方法について説明する。
【００５２】
図９及び図１０に示すように、キャビネット６０２と副キャビネット６７０との間にはプリント基板６２０を設けて、接点バネ６８３を介して電気的に接続し、副キャビネット６７０上に接続部品６３０を載置する。
【００５３】
図１１及び図１２に示すように、接続部品６３０は、その挿通孔６３２に締結具６４０（例えば、ビス）が挿通され、同挿通孔６３２から外部に突出した締結具６４０の先端部が副キャビネット６７０の挿通孔６７２に挿通され、同副キャビネット６７０下のキャビネット６０２上に開口した開口部６０３に嵌め合わされる。
【００５４】
この嵌め合わせ作用により締結具６４０の頭部６４１がプレート６８０を介して接続部品６３０の挿通孔６３２周縁を押圧し、この押圧力により同接続部品６３０の挿通孔６３２に直交する径方向（略水平方向）に接続部品６３０自体が弾性変形する。この締結具６４０は、軸部６４２の外周面に雄ネジ部を形成しており、固定の際には雄ネジ部の先端６４３がキャビネット６０２の開口部６０３内壁面の雌ネジ部に嵌め合わされる。締結具６４０の頭部６４１の径は、少なくとも挿通孔６３２の直径より大きく形成される。
【００５５】
接続部品６３０の側断面視形状は、例えば押圧前の略円形状の原型から押圧により略楕円形状に漸次変形し、膨出する外周縁部６３１の側方領域が略垂直方向に位置する金属体６１０の左のフレーム体６１２の内壁６１２ａと当接すると共に、膨出する外周縁部６３１の他の側方領域が副キャビネット６７０の凸部６７４で規制される。
【００５６】
このように副キャビネット６７０の凸部６７４は、接続部品６３０の位置を制限することができる。締結具６４０によって接続部品６３０の位置はある程度制限されるが、凸部６７４によって更に制限されることで、金属体６１０と接続部品６３０との導通が確実になる。
接続部品６３０の締結方向に弾性変形することによりアンテナパターン６７１と導通し、さらに、副キャビネット６７０下のプリント基板６２０と導通する。接続部品６３０は略水平方向に弾性変形することにより略垂直方向にある金属体６１０と導通する。
【００５７】
すなわち、この外周縁部６３１の他の側方領域が凸部壁面６７４ａに当接することにより膨出を規制し最適な変位量を得ることができる。例えば、最適な変位量とは、接続部品６３０を金属体６１０に電気的に接続しつつ、締結具６４０を締め付ける過度の押圧により接続部品６３０を破損しない値である。
接続部品６３０の外周縁部６３１の両側方領域が金属体６１０と凸部６７４とにそれぞれ当接すると、大きな反力が生じて、締結具６４０は、締結方向と逆の反力が生じて、過度の締め付けが規制される。
【００５８】
この弾性変形後の略楕円形状の接続部品６３０は、その外周縁部６３１の下方領域６３１ａが略水平方向に位置する副キャビネット６７０上の電極パッド６７３ａに電気的に接続され、副キャビネット６７０裏側の電極パッド６７３ｂは、接点バネ６８３を介してプリント基板６２０の接続部６２１と電気接続される。副キャビネット表裏の両電極パッド６７３ａ．６７３ｂは、挿通孔６７２の導電膜を介して電気的に接続されている。
【００５９】
このようにして略垂直方向の金属体６１０と略水平方向のプリント基板６２０とは、弾性変形した接続部品６３０等により電気的に接続される。
外周縁部６３１の側方領域が垂直方向に位置する金属体６１０の左のフレーム体６１２の内壁６１２ａと当接することにより、同接続部品６３０を介してプリント基板６２０と金属体６１０とを電気接続する。この楕円形状に変形した接続部品６３０の外周縁部６３１には、副キャビネット６７０の電極パッド６７３ａおよび金属体６１０を接続する接点部がそれぞれ形成される。
【００６０】
接続部品６３０が弾性変形することにより副キャビネット６７０下のプリント基板６２０と略垂直な方向の金属体６１０とを簡易なコンパクトな構造で確実に導通して電気的に接続することができる。例えば、略水平方向のプリント基板６２０から給電して垂直方向の金属体６１０をアンテナとして機能させることができる。
【００６１】
グランドは、例えばグランド層をキャビネット或いはプリント基板に設けるようにしてもよい。
【００６２】
金属体６１０がグランドに接地されている場合には、図２０に示すようにアンテナパターン６７１と金属体６１０により並列共振逆Ｆアンテナが形成されるため、広帯域なアンテナ特性を得ることができる。
【００６３】
なお、上述の実施形態２では、副キャビネット上に凸部を設けるようにしたが、実施形態１におけるキャビネット上に接続部品の弾性変形の変位量を規制する凸部を設けるようにしてもよい。
【００６４】
［実施形態３］
本開示の実施形態３について、図１３から図１９を用いて説明する。図１３は、図１に示す無線装置の背面側のリアパネルを取り外した際の要部の拡大図を示す。なお、実施形態３の無線装置の平面図は、図１に示す実施形態１の無線装置と同一構造であり、重複する説明は一部省略する。
本開示の実施形態３の無線装置では、接続部品を弾性変形する際に、締結具を使用せず、接続部品をキャビネットに立設する突起部に挿通し、同接続部品をキャビネットと副キャビネット裏面側に設ける突起受け部周縁の段部とで挟持しながら押圧する構成としている。
【００６５】
図１３に示すように、本発明の実施形態の無線装置１３０１は、その背面側のリアパネルを取り外すと、キャビネット１３０２と、プリントパターンを設けるプリント基板１３２０と、副キャビネット１３７０と、キャビネット１３０２及び副キャビネット１３７０の周縁を囲む金属体１３１０と、接続部品１３３０と、電池（図示しない）と、を備えている。
【００６６】
図１４に示すように、キャビネット１３０２は、副キャビネット１３７０の下に設けられており、例えば、誘電体からなる平面視略長方形の板状構造としている。
【００６７】
キャビネット１３０２には、後述する接続部品１３３０の挿通孔１３３２に挿通する突起部１３０４を立設するように構成している。また、キャビネット１３０２の縁部には、上方の副キャビネット１３７０を組み付けて一体化する際に使用する複数の爪受け部１３０５（図１４及び図１７参照）を設けている。
【００６８】
キャビネット１３０２の外周縁には、金属体１３１０を配設している。金属体１３１０は、略水平な面に位置するキャビネット１３０２に対して垂直な面に位置している。金属体１３１０の外形は、例えば、略長方形の枠状に形成しており、上方向および下方向の各フレーム体１３１１には、２ケ所の間隙１３１３が形成されている。金属体１３１０は、例えば、導電性でありかつ金属素材であり、ＳＵＳ等の素材で構成している。キャビネット１３０２上の一部は、プリント基板を載置するため、同基板の厚み分を掘り下げて形成される。キャビネット１３０２と副キャビネット１３７０との間には無線信号を送受信する無線ＩＣを実装するための回路等がプリントパターンされたプリント基板１３２０を配設している。
【００６９】
プリント基板１３２０は、例えば略矩形状に構成しており、長手方向の中途部には、凸状の接続部１３２１が形成される。この凸状接続部１３２１は、キャビネット１３０２の突起部１３０４に近接するように形成されている。プリント基板１３２０の長手方向の長さは、上下方向の各フレーム体１３１１間の長さより短く形成される。また、プリント基板１３２０は、無線用ＩＣ等を実装し、凸状接続部１３２１を除いてその表面部分を金属製等のシールド部１３２２で覆う構成としている。
【００７０】
プリント基板１３２０は、原型から弾性変形した接続部品１３３０を介して垂直な面にある金属体１３１０に給電する。
【００７１】
図１５に示すように、副キャビネット１３７０は、例えば誘電体からなる平面視略長方形の板状構造としている。図１７に示すように、副キャビネット１３７０の裏面側の周縁には、上記キャビネット１３０２の爪受け部１３０５にかみ合う略かぎ爪状の爪１３７１が垂設される。
【００７２】
図１６に示すように、副キャビネット１３７０の裏面側には、キャビネット１３０２の突起部１３０４を受ける突起受け部１３７２や同突起受け部１３７２の周縁に設ける段部１３７３やプリント基板１３２０を収納する収納部１３７５が形成される。
【００７３】
次に、キャビネット１３０２と副キャビネット１３７０との間の略水平な面にあるプリント基板１３２０と垂直な面にある金属体１３１０とは、後述する弾性変形する接続部品１３３０を介して電気的に接続されており、例えば金属体１３１０はプリント基板１３２０より給電されてアンテナとして機能する。
【００７４】
図１６に示すように、接続部品１３３０は、例えば略円構造であり、弾性変形する素材でかつ、その外周縁部１３３１は少なくとも導電材で構成されている。外周縁部１３３１の長手方向の中央部には、径方向（垂直方向）に挿通孔１３３２が穿設される。この挿通孔１３３２の径は接続部品１３３０の直径より小さい。
【００７５】
図１６から図１９を参照しながら、弾性変形する接続部品を使用してキャビネット上に載置するプリント基板と金属体を電気的に接続する方法について説明する。
【００７６】
図１６に示すように、キャビネット１３０２上には、プリント基板１３２０が載置されており、キャビネット１３０２の突起部１３０４が、接続部品１３３０の挿通孔１３３２に挿通された状態となる。この接続部品１３３０の外周縁部１３３１とプリント基板１３２０の接続部１３２１とは導通して電気的に接続される。
【００７７】
図１７及び図１９に示すように、キャビネット１３０２には、上方より副キャビネット１３７０を被せて、副キャビネット１３７０の複数の略かぎ爪状の爪１３７１とキャビネット１３０２の複数の爪受け部１３０５とをそれぞれかみあわして、プリント基板１３２０を挟んだままキャビネット１３０２と副キャビネット１３７０とを一体化する。
【００７８】
図１８に示すように、このとき接続部品１３３０は、副キャビネット裏面側の突起受け部１３７２の周縁の段部１３７３により押圧される。
【００７９】
すなわち、このかみ合い作用により段部１３７３が接続部品１３３０の挿通孔周縁を押圧し、この押圧力により同接続部品１３３０の挿通孔１３３２に直交する径方向（略水平方向）に接続部品自体が弾性変形する。キャビネットの突起部の径は、少なくとも挿通孔の直径より小さく形成される。
【００８０】
接続部品の側断面視形状は、例えば押圧前の略円形状の原型から押圧により略楕円形状に漸次変形し、膨出する外周縁部１３３１の側方領域が垂直方向に位置する金属体１３１０の左のフレーム体１３１２の内壁１３１２ａと当接する。
【００８１】
この弾性変形後の略楕円形状の接続部品は、垂直方向に弾性変形することによりその外周縁部１３３１の下方領域が略水平方向に位置するプリント基板１３２０の接続部１３２１と導通して電気的に接続される。さらに接続部品は、略水平方向に弾性変形することにより外周縁部１３３１の側方領域が略垂直方向に位置する金属体１３１０の左フレーム体１３１２の内壁１３１２ａと導通して電気的に接続される。
【００８２】
このようにして略垂直方向の金属体１３１０と略水平方向のプリント基板１３２０とは、弾性変形した接続部品１３３０により導通して電気的に接続される。
外周縁部１３３１の側方領域が略垂直方向に位置する金属体１３１０の左のフレーム体１３１２の内壁１３１２ａと当接することにより、同接続部品１３３０を介してプリント基板１３２０と略垂直方向の金属体１３１０とを電気接続する。この楕円形状に変形した接続部品１３３０の外周縁部１３３１には、プリント基板１３２０の接続部１３２１および金属体１３１０と接続する接点部がそれぞれ形成される。
【００８３】
本例においては、接続部品をキャビネット上の突起部に挿通して固定し、同接続部品を副キャビネットの段部で押圧することにより、第１および第２実施形態における締結具による接続方法とくらべて、プリント基板と金属体とは安定した導通を取ることができる。また、キャビネットの開口部内に雌ネジ部が形成できない場合には、キャビネット同士の爪のかみ合い作用により接続部品と金属体との導通を取ることができる。
【００８４】
接続部品１３３０が弾性変形することにより副キャビネット１３７０下のプリント基板１３２０と略垂直方向にある金属体１３１０とを簡易なコンパクトな構造で確実に電気的に接続することができる。例えば、略水平方向のプリント基板１３２０から給電して垂直方向の金属体１３１０をアンテナとして機能させることができる。
【００８５】
なお、上述した実施形態２における接続部品を一様に変形するためのプレート６８０は、実施形態１における接続部品を一様に変形するために使用してもよい。
【００８６】
なお、上述の各実施例では、キャビネットに対して垂直な面に枠形状の金属体を用いるようにしたが、キャビネットに対して鋭角な面（傾斜面）をなす金属体を用いるようにしてもよい。このような傾斜した金属体と略水平な面にあるプリント基板とを弾性変形する接続部品で確実に電気的な接続を行うことができる。
【００８７】
接続部品は、一例として略円柱構造としたが、弾性変形することにより、略水平な面にある一の部品の接点と垂直な面にある他の部品の接点とを電気的に接続することが可能であれば、中空の円筒構造や楕円柱構造や角柱構造や多角柱構造等の他の構造であってもよい。また、接続部品は、一例として外周縁部を導電材で構成するようにしたが、同部品の内部を含む全体を導電材で構成するようにしてもよい。
【００８８】
金属体は、一例として枠形状の構造を用いて説明したが、金属体の構造は枠形状に限定するものではなく、その他、電子機器等の充電端子を構成するさまざまな形状の金属部品やアンテナエレメントとして機能するさまざまな形状の金属部品も含まれる。キャビネットに対して垂直な面にある金属部品を含む金属体を上述した弾性変形する接続部品で電気的に接続することができる。
【００８９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００９０】
１０１，６０１，１３０１  無線装置
１０２  表示部
２０１，６０２，１３０２  キャビネット
２０２，６０３  開口部
２１０，６１０，１３１０  金属体
２１１，６１１，１３１１  上下フレーム体
２１２，６１２，１３１２  左右フレーム体
２１２ａ，６１２ａ，１３１２ａ  内壁
２１３，６１３．１３１３  間隙
２２０，６２０，１３２０  プリント基板
２２１，６２１，１３２１  凸状接続部
２２１ａ  貫通孔
２２２，６２２，１３２２  シールド部
２３０，６３０，１３３０  接続部品
２３１，６３１，１３３１  外周縁部
２３１ａ，６３１ａ  下方領域
２３１ｂ，６３１ｂ  側方領域
２３２，６３２，１３３２  挿通孔
２４０，６４０  締結具
２４１，６４１  頭部
２４２，６４２  軸部
２４３，６４３  先端
２５０，６５０  電池
２６０，６６０  撮像素子
６７０，１３７０  副キャビネット
６７１  アンテナパターン
６７２  挿通孔
６７３ａ  表側電極パッド
６７３ｂ  裏側電極パッド
６７４  凸部
６７４ａ  凸部壁面
６７５，１３７５  収納部
６７５ａ  天井部
６８０  プレート
６８１  両面テープ
６８２  導電性両面テープ
６８３  接点バネ
１３０４  突起部
１３０５  爪受け部
１３７１  爪
１３７２  突起受け部
１３７３  段部
【図１】
2020167546.tif 000003
【図２】
2020167546.tif 000004
【図３】
2020167546.tif 000005
【図４】
2020167546.tif 000006
【図５】
2020167546.tif 000007
【図６】
2020167546.tif 000008
【図７】
2020167546.tif 000009
【図８】
2020167546.tif 000010
【図９】
2020167546.tif 000011
【図１０】
2020167546.tif 000012
【図１１】
2020167546.tif 000013
【図１２】
2020167546.tif 000014
【図１３】
2020167546.tif 000015
【図１４】
2020167546.tif 000016
【図１５】
2020167546.tif 000017
【図１６】
2020167546.tif 000018
【図１７】
2020167546.tif 000019
【図１８】
2020167546.tif 000020
【図１９】
2020167546.tif 000021
【図２０】
2020167546.tif 000022